(57)【要約】【課題】ウエット流路において水を気化させるための空気の流れが妨げられることに起因して冷却効率が低下するのを抑制することが間接気化式空調機を提供する。【解決手段】この間接気化式空調機１００では、ウエット流路１１の底部１１ｃには、空気の入口としての開口部１１ａが形成されており、開口部１１ａからウエット流路１１の外部に排出される水に対して、開口部１１ａを閉塞するように作用する力よりも開口部１１ａから排出されるように作用する力が大きくなる構造を有するように構成されている。【選択図】図６
2019203608.tif 000002
【特許請求の範囲】
【請求項１】
供給された水を気化させるための第１空気が流れるウエット流路と、前記ウエット流路に隣接して配置され、前記ウエット流路における水の気化熱により冷却される第２空気が流れるドライ流路と、を含む間接気化式空気冷却ユニットと、
前記間接気化式空気冷却ユニットを収納するとともに、前記ウエット流路に前記第１空気を供給するための風路と、前記ドライ流路において冷却された前記第２空気を排気するための風路とが形成された筐体と、を備え、
前記ウエット流路の底部には、前記第１空気の入口または出口のいずれかとしての開口部が形成されており、
前記ウエット流路において気化されずに前記開口部から前記ウエット流路の外部に排出される水に対して、前記開口部を閉塞するように作用する力よりも前記開口部から排出されるように作用する力が大きくなる構造を有するように構成されている、間接気化式空調機。
【請求項２】
前記開口部の下端を、前記開口部から排出される水が前記開口部を閉塞する方向に向かって高くなるように傾斜させること、または、前記開口部の下端よりも下側に吸水性を有する部材を配置させることの少なくともいずれかによって、前記ウエット流路において気化されずに前記開口部から前記ウエット流路の外部に排出される水に対して、前記開口部を閉塞するように作用する力よりも前記開口部から排出されるように作用する力が大きくなるように構成されている、請求項１に記載の間接気化式空調機。
【請求項３】
前記ウエット流路の底部は、所定の方向に沿って延びるように配置され、
前記開口部は、前記ウエット流路の底部において、前記所定の方向における一方側の端部に形成されており、
前記ウエット流路の底部の外表面は、前記開口部側の部分が、前記開口部とは反対側の部分よりも高くなるように傾斜するように構成されている、請求項２に記載の間接気化式空調機。
【請求項４】
前記ウエット流路において前記ドライ流路側の側面に沿うように設けられた平板形状の保水部材をさらに備え、
前記保水部材は、前記ウエット流路の底部の少なくとも前記開口部が形成された部分において、前記開口部の下端よりも下まで延びるように構成されている、請求項２に記載の間接気化式空調機。
【請求項５】
前記ウエット流路の底部の外表面において、前記開口部の一部を覆うように、前記開口部の下端の下側に設けられる吸水部材をさらに備える、請求項２に記載の間接気化式空調機。
【請求項６】
供給された水の気化熱により冷却される第１空気が流れるウエット流路と、
前記ウエット流路に隣接して配置され、前記ウエット流路において冷却された前記第１空気により冷却される第２空気が流れるドライ流路と、を備え、
前記ウエット流路の底部には、前記第１空気の入口または出口のいずれかとしての開口部が形成されており、
前記ウエット流路において気化されずに前記開口部から前記ウエット流路の外部に排出される水に対して、前記開口部を閉塞するように作用する力よりも前記開口部から排出されるように作用する力が大きくなる構造を有するように構成されている、間接気化式空気冷却ユニット。
【発明の詳細な説明】
【技術分野】
【０００１】
この発明は、間接気化式空調機および間接気化式空気冷却ユニットに関し、特に、ウエット流路とドライ流路とを含む間接気化式空調機および間接気化式空気冷却ユニットに関する。
【背景技術】
【０００２】
従来、ウエット流路とドライ流路とを含む間接気化式空気冷却ユニットを備えた間接気化式空調機が知られている（たとえば、特許文献１参照）。
【０００３】
上記特許文献１には、水の気化熱により冷却されるワーキングエアが流れるワーキングエア流路（ウエット流路）と、ワーキングエア流路に隣接して配置され、ワーキングエアとの間で熱交換が行われるプロダクトエアが流れるプロダクトエア流路（ドライ流路）と、を有する間接気化エレメント（間接気化式空気冷却ユニット）を備えた換気空調装置（間接気化式空調機）が開示されている。上記特許文献１の間接気化エレメントでは、ワーキングエア流路とプロダクト流路とが熱交換隔壁を挟んで積層されている。
【先行技術文献】
【特許文献】
【０００４】
【特許文献１】特開２００７−１３９３３７号公報
【発明の概要】
【発明が解決しようとする課題】
【０００５】
ここで、上記特許文献１のような従来の間接気化式空調機では、ウエット流路において水を気化させるための空気の出口または入口としての開口部が、ウエット流路の下部に設けられる場合がある。この場合、ウエット流路に供給された水のうち気化されなかった水がウエット流路の内部の底面にある程度溜まると、気化されなかった水がウエット流路の下部に設けられた開口部から外部に流れ出す。
【０００６】
しかしながら、上記ウエット流路の開口部がウエット流路の下部に設けられる従来の間接気化式空調機では、一般的に、ウエット流路の流路幅（ウエット流路とドライ流路とが積層された方向の幅）が比較的小さくなるように構成される。したがって、ウエット流路の開口部の幅も比較的狭くなる。このため、開口部に流れ込んだ水が、水に作用する表面張力の影響により開口部の幅方向（ウエット流路とドライ流路とが積層された方向）の両側でブリッジする（繋がるように結び付く）場合がある。この場合、開口部に流れ込んだ水は、開口部に膜を張るように拡がり、開口部を閉塞してしまう場合がある。このため、上記特許文献１のような従来の間接気化式空調機において、ウエット流路の下部に開口部が設けられる場合には、開口部が閉塞されることにより、ウエット流路において水を気化させるための空気の流れが妨げられることに起因して冷却効率が低下してしまうという問題点がある。
【０００７】
この発明は、上記のような課題を解決するためになされたものであり、この発明の１つの目的は、ウエット流路において水を気化させるための空気の流れが妨げられることに起因して冷却効率が低下するのを抑制することが可能な間接気化式空調機を提供することである。
【課題を解決するための手段】
【０００８】
上記目的を達成するために、この発明の第１の局面による間接気化式空調機は、供給された水を気化させるための第１空気が流れるウエット流路と、ウエット流路に隣接して配置され、ウエット流路における水の気化熱により冷却される第２空気が流れるドライ流路と、を含む間接気化式空気冷却ユニットと、間接気化式空気冷却ユニットを収納するとともに、ウエット流路に第１空気を供給するための風路と、ドライ流路において冷却された第２空気を排気するための風路とが形成された筐体と、を備え、ウエット流路の底部には、第１空気の入口または出口のいずれかとしての開口部が形成されており、ウエット流路において気化されずに開口部からウエット流路の外部に排出される水に対して、開口部を閉塞するように作用する力よりも開口部から排出されるように作用する力が大きくなる構造を有するように構成されている。
【０００９】
この発明の第１の局面による間接気化式空調機では、上記のように、開口部からウエット流路の外部に排出される水に対して、開口部を閉塞するように作用する力よりも開口部から排出されるように作用する力が大きくなる構造を有するように構成されている。これにより、開口部からウエット流路の外部に排出される水に対して、開口部を閉塞するように作用する力よりも大きな力が開口部から排出されるように作用するので、開口部からウエット流路の外部に排出される水が、開口部を閉塞する方向へ拡がるのを抑制することができる。その結果、開口部が閉塞されるのを抑制することができるので、ウエット流路において水を気化させるための空気の流れが妨げられることに起因して冷却効率が低下するのを抑制することができる。
【００１０】
上記第１の局面による間接気化式空調機において、好ましくは、開口部の下端を、開口部から排出される水が開口部を閉塞する方向に向かって高くなるように傾斜させること、または、開口部の下端よりも下側に吸水性を有する部材を配置させることの少なくともいずれかによって、ウエット流路において気化されずに開口部からウエット流路の外部に排出される水に対して、開口部を閉塞するように作用する力よりも開口部から排出されるように作用する力が大きくなるように構成されている。このように構成すれば、開口部の下端を、開口部から排出される水が開口部を閉塞する方向に向かって高くなるように傾斜させることにより、開口部の下端に達した水は、斜め下方（開口部から離間する斜め下方）に移動するように導かれ易くなる。その結果、たとえば、開口部の下端が水平に配置される場合（開口部の下端が傾斜していない場合）と比較して、開口部から排出される水に対して、開口部を閉塞するように作用する力よりも開口部から排出されるように作用する力を容易に大きくすることができる。また、開口部の下端よりも下側に吸水性を有する部材を配置させることにより、開口部から排出される水が開口部の下端に達した際に、開口部から排出される水に対して、吸水性を有する部材により水を引き寄せる力を作用させることができる。その結果、吸水性を有する部材が設けられない場合と比較して、開口部から排出される水に対して、開口部を閉塞するように作用する力よりも開口部から排出されるように作用する力を容易に大きくすることができる。
【００１１】
この場合、好ましくは、ウエット流路の底部は、所定の方向に沿って延びるように配置され、開口部は、ウエット流路の底部において、所定の方向における一方側の端部に形成されており、ウエット流路の底部の外表面は、開口部側の部分が、開口部とは反対側の部分よりも高くなるように傾斜するように構成されている。このように構成すれば、ウエット流路の開口部に到達した水は、開口部の縁部からウエット流路の底部の外表面側に回り込むとともに、傾斜した外表面に沿って斜め下方に移動するように導かれ易くなる。その結果、開口部から排出される水に対して、開口部を閉塞するように作用する力よりも斜め下方に作用する力（開口部から排出されるように作用する力）を容易に大きくすることができる。
【００１２】
上記吸水性を有する部材を配置させる構成において、好ましくは、ウエット流路においてドライ流路側の側面に沿うように設けられた平板形状の保水部材をさらに備え、保水部材は、ウエット流路の底部の少なくとも開口部が形成された部分において、開口部の下端よりも下まで延びるように構成されている。このように構成すれば、保水部材がドライ流路側の側面に沿うように開口部の下端よりも下まで延びるように設けられているので、保水部材の開口部の下端よりも下まで延びた部分により、開口部の下端に達した水に対して、下方向に引き寄せる力を容易に作用させることできる。その結果、開口部から排出される水に対して、開口部を閉塞するように作用する力よりも下方向に作用する力（開口部から排出されるように作用する力）を容易に大きくすることができる。また、ウエット流路における水の気化効率を向上させるためにドライ流路側の側面に沿うように設けられることが一般的である平板形状の保水部材を、開口部の下端よりも下まで延びるように上下方向の長さを調整するだけで、開口部の下端よりも下側に吸水性の部材を容易に設けることができる。
【００１３】
上記吸水性を有する部材を配置させる構成において、好ましくは、ウエット流路の底部の外表面において、開口部の一部を覆うように、開口部の下端の下側に設けられる吸水部材をさらに備える。このように構成すれば、開口部の下端の下側に設けられた吸水部材により、開口部の下端に達した水に対して、下方向に引き寄せる力を容易に作用させることができる。その結果、開口部から排出される水に対して、開口部を閉塞するように作用する力よりも下方向に作用する力（開口部から排出されるように作用する力）を容易に大きくすることができる。また、吸水部材が開口部の下端の一部を覆うように設けられるので、吸水部材が開口部の下端の全てを覆う場合と異なり、ウエット流路において空気の流れが妨げられるのを抑制することができる。また、吸水部材が開口部の下端の一部を覆うように設けられることにより、上方から見て吸水部材が開口部から露出しているので、開口部から排出される水を露出した吸水部材の部分から容易に吸水することができる。
【００１４】
上記目的を達成するために、この発明の上記第２の局面による間接気化式空気冷却ユニットは、供給された水を気化させるための第１空気が流れるウエット流路と、ウエット流路に隣接して配置され、ウエット流路における水の気化熱に第２空気が流れるドライ流路と、を備え、ウエット流路の底部には、第１空気の入口または出口のいずれかとしての開口部が形成されており、ウエット流路において気化されずに開口部からウエット流路の外部に排出される水を、開口部を閉塞するように作用する力よりも開口部から排出されるように作用する力が大きくなる構造を有するように構成されている。
【００１５】
この発明の第２の局面による間接気化式空気冷却ユニットでは、上記のように、開口部からウエット流路の外部に排出される水に対して、開口部を閉塞する方向へ作用する力よりも開口部から排出されるように作用する力が大きくなる構造を有する。これにより、開口部からウエット流路の外部に排出される水に対して、開口部を閉塞するように作用する力よりも大きな力が開口部から排出されるように作用するので、開口部からウエット流路の外部に排出される水が、開口部を閉塞する方向へ拡がるのを抑制することができる。その結果、開口部が閉塞されるのを抑制することができるので、ウエット流路において水を気化させるための空気の流れが妨げられることに起因して冷却効率が低下するのを抑制することができる。
【発明の効果】
【００１６】
本発明によれば、上記のように、ウエット流路において水を気化させるための空気の流れが妨げられることに起因して冷却効率が低下するのを抑制することができる。
【図面の簡単な説明】
【００１７】
【図１】本発明の第１実施形態による間接気化式空調機の概観を示した図である。
【図２】本発明の第１実施形態による間接気化式空調機内の間接気化冷却エレメント（間接気化式空気冷却ユニット）の構成を示した図である。
【図３】（ａ）は、本発明の第１実施形態による間接気化冷却エレメントのウエット流路を説明するための図である。（ｂ）は、本発明の第１実施形態による間接気化冷却エレメントのドライ流路を説明するための図である。
【図４】図２の５００−５００線に沿った断面図である。
【図５】図２の６００−６００線に沿った断面図である。
【図６】本発明の第１実施形態による間接気化式空調機の構成を示した図である。
【図７】比較例による間接気化式空調機の構成を説明するための図である。
【図８】本発明の第２実施形態による間接気化式空調機の構成を示した図である。
【図９】図７の７００−７００線に沿った断面図である。
【図１０】本発明の第３実施形態による間接気化式空調機の構成を示した図である。
【図１１】図９の８００−８００線に沿った断面図である。
【図１２】変形例による間接気化冷却エレメントの構成を示した図である。
【発明を実施するための形態】
【００１８】
以下、本発明を具体化した実施形態を図面に基づいて説明する。
【００１９】
［第１実施形態］
図１〜図６を参照して、本発明の第１実施形態による間接気化式空調機１００の構成について説明する。
【００２０】
（間接気化式空調機の構成）
本発明の第１実施形態による間接気化式空調機１００は、ウエット流路１１（図３参照）で気化現象を利用して隣接するドライ流路１２（図３参照）の空気を冷却するように構成された間接気化冷却エレメント１０を備えた空気冷却機である。間接気化式空調機１００は、天井空間や屋根裏等の屋内の上方に設置されている。なお、間接気化冷却エレメント１０は、特許請求の範囲の「間接気化式空気冷却ユニット」の一例である。
【００２１】
図１に示すように、間接気化式空調機１００は、間接気化冷却エレメント１０と、筐体２０と、給気口２１と、風路２２と、送風ファン２３と、風路２４と、ドライ排気口２５と、ドレン皿２６と、風路２７と、散水管２８と、ウエット排気口２９と、を備えている。なお、風路２４は、特許請求の範囲の「（ウエット流路に第１空気を供給するための）風路」および「（ドライ流路において冷却された第２空気を排気するための）風路」の一例である。
【００２２】
なお、以下の説明では、筐体２０の左右方向、奥行き方向および上下方向を、それぞれ、Ｘ方向、Ｙ方向およびＺ方向とする。また、筐体２０の左側、右側、上側および下側を、それぞれ、Ｘ１側、Ｘ２側、Ｚ１側およびＺ２側とする。
【００２３】
図２に示すように、間接気化冷却エレメント１０は、ウエット流路１１と、ドライ流路１２と、を備えている。ウエット流路１１およびドライ流路１２は、Ｘ方向およびＺ方向に延びるように構成されている。また、ウエット流路１１とドライ流路１２とはＹ方向に沿って交互に積層されている。すなわち、ウエット流路１１とドライ流路１２とは、互いに隣接して配置されている。
【００２４】
図３に示すように、ウエット流路１１は、供給された水を気化させるための空気Ｆ１が流れるように構成されている。ドライ流路１２は、ウエット流路１１における水の気化熱により冷却される空気Ｆ２が流れるように構成されている。なお、空気Ｆ１および空気Ｆ２は、それぞれ、特許請求の範囲の「第１空気」および「第２空気」の一例である。また、以下の説明では、ウエット流路１１を通過する前および後の空気Ｆ１を、それぞれ、空気Ｆ１ａおよび空気Ｆ１ｂとし、ドライ流路１２を通過する前および後の空気Ｆ２を、それぞれ、空気Ｆ２ａおよび空気Ｆ２ｂとする。
【００２５】
ウエット流路１１には、空気Ｆ１ａの入口としての開口部１１ａと、空気Ｆ１ｂの出口としての開口部１１ｂとが形成されている。開口部１１ａおよび開口部１１ｂは、それぞれ、ウエット流路１１の下側（Ｚ２側）および上側（Ｚ１側）に形成されている。ドライ流路１２には、空気Ｆ２ａの入口としての開口部１２ａと、空気Ｆ２ｂの出口としての開口部１２ｂとが形成されている。開口部１２ａおよび開口部１２ｂは、それぞれ、ドライ流路１２のＸ１側およびＸ２側に形成されている。
【００２６】
図１に示すように、筐体２０は、間接気化冷却エレメント１０を覆うとともに、送風ファン２３、ドレン皿２６および散水管２８を収納するように設けられている。また、筐体２０は、給気口２１、風路２２、風路２４、ドライ排気口２５、風路２７およびウエット排気口２９を構成するように設けられている。
【００２７】
給気口２１は、筐体２０の下側（Ｚ２側）の端部かつ右側（Ｘ２側）の端部に設けられている。給気口２１は、間接気化式空調機１００が設置された屋内から空気Ｆ２ａを筐体２０に給気するための空気の取込み口として構成されている。
【００２８】
風路２２は、給気口２１の上側（Ｚ１側）に上下方向（Ｚ方向）に延びるように設けられている。風路２２は、給気口２１により取り込まれた空気Ｆ２ａが通過するように構成されている。
【００２９】
送風ファン２３は、風路２２の一部に設けられ、空気Ｆ２ａを右側（Ｘ２側）から左側（Ｘ１側）へ導くように構成されている。間接気化式空調機１００では、送風ファン２３を稼動させることにより、風路２２のＸ１側に設けられた間接気化冷却エレメント１０のドライ流路１２（図３参照）へ空気Ｆ１ａを強制的に送り込むように構成されている。
【００３０】
風路２４は、間接気化冷却エレメント１０の左側（Ｘ１側）および下側（Ｚ２側）にそれぞれ配置された風路２４ａと風路２４ｂとを含む。風路２４ａは、上下方向（Ｚ方向）に延びるように設けられている。風路２４ｂは、左右方向（Ｘ方向）に延びるように設けられている。風路２４は、風路２４ａと風路２４ｂとにより、Ｙ方向から見て、略Ｌ字状に設けられている。風路２４ａには、ドライ流路１２（図３参照）において冷却された空気Ｆ２ｂが排出されるように構成されている。すなわち、筐体２０には、ドライ流路１２において冷却された空気Ｆ２ｂを排気するための風路２４が形成されている。
【００３１】
ドライ排気口２５は、風路２４ａの下端（Ｚ２側）に設けられ、ドライ流路１２により冷却された空気Ｆ２ｂのうちの一部（たとえば、５〜８割）を、屋内に排出するように構成されている。ドライ排気口２５は、たとえば、パンチングメタル等から構成されている。ドライ流路１２より冷却された空気Ｆ２ｂのうち、（ドライ排気口２５から排出されない）残りの一部は、風路２４ｂを介して、開口部１１ａから、空気Ｆ１ａとして、間接気化冷却エレメント１０のウエット流路１１（図３参照）に供給される。すなわち、筐体２０には、ウエット流路１１に空気Ｆ１ａを供給するための風路２４が形成されている。
【００３２】
ドレン皿２６は、風路２４ｂにＸ方向に延びるように設けられている。すなわち、ドレン皿２６は、間接気化冷却エレメント１０の下側（Ｚ２側）に配置されている。ドレン皿２６は、ウエット流路１１において気化されずにウエット流路１１（図３参照）から排出された水（ドレン水）を受け止めるための受け皿として構成されている。ドレン皿２６の水は、ドレン皿２６に接続された配水管（図示しない）を介して、下水道等に排出されるように構成されている。
【００３３】
風路２７は、間接気化冷却エレメント１０の上側（Ｚ１側）に、Ｘ方向に延びるように設けられている。風路２７は、ウエット流路１１（図３参照）を通過した空気Ｆ２ｂが排出されるように構成されている。
【００３４】
散水管２８は、風路２７の内部に設けられている。散水管２８は、給水部（図示しない）により供給された水を散水するように、多数の孔が形成された多孔管として構成されている。散水管２８により散水された水は、散水管２８の下側（Ｚ２側）に配置された間接気化冷却エレメント１０のウエット流路１１（図３参照）の内部に設けられた不織布１５（図３参照）に供給されるように構成されている。なお、不織布１５は、特許請求の範囲の「保水部材」の一例である。
【００３５】
ウエット排気口２９は、筐体２０の上側（Ｚ１側）の端部、かつ、左側（Ｘ１側）の端部に設けられている。ウエット排気口２９は、風路２７のＸ１側の端部に設けられており、風路２７を通過した空気Ｆ２ｂが、屋外（間接気化式空調機１００が設置された建屋の外）に排出されるように構成されている。
【００３６】
（間接気化冷却エレメントの構成）
次に、図２〜図６を参照して、間接気化冷却エレメント１０の構成を説明する。
【００３７】
図４に示すように、間接気化冷却エレメント１０は、ウエット流路１１およびドライ流路１２に加えて、スペーサ１３と、隔壁１４と、不織布１５と、を備えている。
【００３８】
図３に示すように、スペーサ１３は、ウエット流路１１のＺ１側、Ｚ２側、Ｘ１側およびＸ２側を囲むように配置されている。また、スペーサ１３は、ドライ流路１２のＺ１側およびＺ２側を囲むように配置されている。スペーサ１３は、塩化ビニル樹脂等の樹脂から構成されている。
【００３９】
図４に示すように、隔壁１４は、Ｚ方向に延びるように平板状に形成されており、ウエット流路１１とドライ流路１２とを仕切るように、ウエット流路１１とドライ流路１２との間に設けられている。隔壁１４は、熱伝導が可能で水を通さないポリプロピレン等の樹脂から構成されている。
【００４０】
以上のように、スペーサ１３および隔壁１４が設けられることにより、略平板状に形成されたウエット流路１１とドライ流路１２とが構成されている。これにより、間接気化冷却エレメント１０では、図３（ａ）に示すように、スペーサ１３のウエット流路１１の下側（Ｚ２側）に略Ｘ方向に沿って延びるように設けられた部分および開口部１１ａが、ウエット流路１１の底部１１ｃとなっている。また、開口部１１ａは、ウエット流路１１の底部１１ｃにおいて、Ｘ方向における一方側（Ｘ１側）の端部に形成されている。なお、ウエット流路１１のＹ方向の大きさ（流路幅Ｗ）は、数ｍｍ程度で構成されている。
【００４１】
不織布１５は、Ｚ方向に延びるように平板状に形成されており、ウエット流路１１においてドライ流路１２側の両側面に沿うように設けられている。不織布１５は、たとえば、ポリプロピレン等の樹脂から構成されている。不織布１５は、適度な吸水性を有する（毛細管現象による吸水力を有する）とともに、吸水した水の一部を保持するように構成されている。
【００４２】
不織布１５のＺ１側の端部およびＺ２側の端部は、それぞれ、スペーサ１３および隔壁１４のＺ１側の端部およびＺ２側の端部と面一になるように設けられている。また、不織布１５のＺ１側の端部およびＺ２側の端部は、ウエット流路１１の外部に露出するように構成されている。これにより、不織布１５は、Ｚ１側から水を染み込ませる（吸水する）ことが可能であるとともに、Ｚ２側から水を排出することが可能である。
【００４３】
以上の構成により、間接気化式空調機１００では、ウエット流路１１のドライ流路１２側に設けられた不織布１５に供給された水が気化されることにより、ドライ流路１２を流れる空気Ｆ２（図３参照）を冷却することが可能である。
【００４４】
具体的には、図４に示すように、ウエット流路１１の上側（Ｚ１側）に設けられた散水管２８（図１参照）により散水された水は、不織布１５のＺ１側の端部から、不織布１５に染み込む。不織布１５に染み込んだ水は不織布１５に保持される。また、不織布１５に染み込んだ水の一部は、水自身の重力および不織布１５の毛細管現象による吸水力により不織布１５を伝わってＺ１側からＺ２側に移動する。不織布１５に保持されている水（染み込んで移動している水を含む）は、ウエット流路１１に供給された空気Ｆ１（図３参照）により気化される。保持されている水が気化した不織布１５は、気化熱により熱が奪われることによって、気化前と比較して温度が低下する（冷却される）。冷却された不織布１５は、熱伝導が可能な隔壁１４を介して隣接するドライ流路１２を冷却する。これにより、給気口２１により屋内から取り込まれた空気Ｆ２ａ（図３参照）は、ドライ流路１２を通過する際に冷却され、（空気Ｆ２ａ（図３参照）よりも低温である）冷却された空気Ｆ２ｂ（図３参照）として、ドライ排気口２５を介して冷却空気の供給先（屋内）に供給される。
【００４５】
なお、間接気化式空調機１００では、上述したように、ウエット流路１１に供給される水としてミネラル（スケール）を含む水道水が用いられる場合がある。この場合において、不織布１５（ウエット流路１１）に供給される水が比較的少ない場合、不織布１５に保持されている水（水道水）に含まれるミネラルの濃度が、水に対する溶解度よりも高くなると、ミネラルが析出物として不織布１５に析出される。不織布１５にミネラルが析出した場合、不織布１５の保水性能が低下して気化効率が低下する。したがって、間接気化式空調機１００では、ウエット流路１１への水の供給は、水の気化を効率的に行うため、および、気化に必要とされない水を極力減らすために、気化現象に必要な範囲内で少量ずつ継続的に行なわれる。
【００４６】
しかしながら、ウエット流路１１への水の供給が気化される水の量よりも多くなった場合、図６に示すように、間接気化式空調機１００では、不織布１５（ウエット流路１１）において気化されなかった水の一部は、不織布１５のＺ２側の端部から間接気化冷却エレメント１０の外部に排出される。また、不織布１５（ウエット流路１１）において気化されなかった水の一部が、ウエット流路１１の底部１１ｃ（の内表面側）に溜まる。ウエット流路１１の底部１１ｃに溜まった水は、ウエット流路１１の底部１１ｃの一方側（Ｘ１側）の端部に設けられた開口部１１ａから排出される。
【００４７】
なお、間接気化式空調機１００では、ウエット流路１１の流路幅Ｗが比較的小さいので、開口部１１ａに流れ込んだ水は、水に作用する表面張力の影響によりＹ方向の両側でブリッジし易い（繋がるように結び付き易い）。したがって、開口部１１ａの下端ＬＥに到達した水は、開口部１１ａの下端ＬＥを閉塞するように拡がり易い（開口部１１ａの下端ＬＥを閉塞するように作用する力が大きくなり易い）。
【００４８】
また、図７に示す比較例のように、開口部１１ａが水平方向に配置されている場合、開口部１１ａの下端ＬＥに到達した水に対して、開口部１１ａを閉塞する方向とは異なる方向に作用する力（開口部１１ａから排出されるように作用する力）が働きにくいので、ウエット流路１１から排出される水が、開口部１１ａを閉塞するように一層拡がり易い。なお、図７では、間接気化冷却エレメント１０が水平方向に配置され、開口部１１ａに流れ込んだ水が、開口部１１ａの下端ＬＥに達した際に、水に作用する表面張力の影響により、開口部１１ａを塞ぐように開口部１１ａの下端ＬＥに拡がる例を示している。
【００４９】
そこで、第１実施形態では、間接気化冷却エレメント１０は、ウエット流路１１において気化されずに開口部１１ａからウエット流路１１の外部に排出される水に対して、開口部１１ａを閉塞するように作用する力よりも開口部１１ａから排出されるように作用する力が大きくなる構造を有するように構成されている。詳細には、間接気化冷却エレメント１０は、開口部１１ａの下端ＬＥを、開口部１１ａから排出される水が開口部１１ａを閉塞する方向に向かって高くなるように傾斜させることにより、開口部１１ａを閉塞するように作用する力よりも開口部１１ａから排出されるように作用する力が大きくなるように構成されている。より詳細には、ウエット流路１１の底部１１ｃの外表面ＥＳは、開口部１１ａ側の部分が、開口部１１ａとは反対側の部分よりもよりも高くなるように傾斜するように構成されている。
【００５０】
具体的には、間接気化冷却エレメント１０は、Ｘ方向に沿って、Ｘ１側がＸ２側よりも高くなるように水平方向に対して所定の角度θで傾斜している。これに伴い、ウエット流路１１の底部１１ｃも、Ｘ方向に沿って、Ｘ１側がＸ２側よりも高くなるように水平方向に対して所定の角度θで傾斜している。これにより、ウエット流路１１の底部１１ｃの外表面ＥＳの一部に設けられた開口部１１ａの下端ＬＥも、Ｘ方向に沿って、Ｘ１側がＸ２側よりも高くなるように水平方向に対して所定の角度θで傾斜している。
【００５１】
このように、間接気化冷却エレメント１０は、Ｘ方向に沿って、Ｘ１側がＸ２側よりも高くなるように水平方向に対して所定の角度θで傾斜しているので、開口部１１ａの下端ＬＥに到達した水に対して、ウエット流路１１の底部１１ｃの外表面ＥＳに沿って、開口部１１ａとは反対側に導く重力による力を作用させることができる。すなわち、ウエット流路１１の底部１１ｃの外表面ＥＳは、開口部１１ａが設けられた側とは反対側が、開口部１１ａが設けられた側よりも低くなるように傾斜しているので、水の表面張力に起因して開口部１１ａの下端ＬＥを閉塞するように作用する力よりも、開口部１１ａの下端ＬＥを閉塞する方向とは反対側へ作用する力（開口部１１ａから排出されるように作用する力）を大きくすることが可能である。
【００５２】
なお、所定の角度θは、約５度以上約１０度以下が好ましい。これは、水に作用する表面張力の影響により開口部１１ａの下端ＬＥを閉塞するように作用する力よりも、開口部１１ａの下端ＬＥを閉塞する方向とは反対側へ作用する力（開口部１１ａから排出されるように作用する力）が大きくなるために十分な角度である。また、所定の角度θが約１０度よりも大きい場合、ウエット流路１１の底部１１ｃの上側（Ｚ１側）に溜まる水の量が多くなる分だけ、ウエット流路１１において水を気化させるための有効面積（水が保持された不織布１５に空気Ｆ１が触れる表面積）が減少する。したがって、ウエット流路１１における気化効率が低下するので、所定の角度θを約１０度よりも大きくすることは好ましくない。
【００５３】
開口部１１ａの下端ＬＥに達した水は、開口部１１ａの下端ＬＥを閉塞する方向とは反対側へ作用する力により、所定の角度θで傾斜されているウエット流路１１の底部１１ｃの外表面ＥＳの低い側に向かって、外表面ＥＳを伝わるように流れる。外表面ＥＳを伝わるように流れる水は、水自身の重力の影響により、徐々に間接気化冷却エレメント１０の下方（Ｚ２側）に落下する。
【００５４】
以上の構成により、間接気化冷却エレメント１０では、ウエット流路１１から排出される水が、水の表面張力により開口部１１ａを閉塞するように拡がることが抑制される。
【００５５】
（第１実施形態の効果）
第１実施形態では、以下のような効果を得ることができる。
【００５６】
第１実施形態では、上記のように、間接気化式空調機１００を、開口部１１ａからウエット流路１１の外部に排出される水に対して、開口部１１ａを閉塞するように作用する力よりも開口部１１ａから排出されるように作用する力が大きくなる構造を有するように構成する。これにより、開口部１１ａからウエット流路１１の外部に排出される水に対して、開口部１１ａを閉塞するように作用する力よりも大きな力が開口部１１ａから排出されるように作用するので、開口部２２ａからウエット流路１１の外部に排出される水が、開口部１１ａを閉塞する方向へ拡がるのを抑制することができる。その結果、開口部１１ａが閉塞されるのを抑制することができるので、ウエット流路１１において水を気化させるための空気Ｆ１の流れが妨げられることにより起因して冷却効率が低下するのを抑制することができる。
【００５７】
また、第１実施形態では、上記のように、開口部１１ａの下端ＬＥを、開口部１１ａから排出される水が開口部１１ａを閉塞する方向に向かって高くなるように傾斜させることによって、ウエット流路１１において気化されずに開口部１１ａからウエット流路１１の外部に排出される水に対して、開口部１１ａを閉塞するように作用する力よりも開口部１１ａから排出されるように作用する力が大きくなるように構成する。これにより、開口部１１ａの下端ＬＥを、開口部１１ａから排出される水が開口部１１ａを閉塞する方向に向かって高くなるように傾斜させることにより、開口部１１ａの下端ＬＥに達した水は、斜め下方（開口部１１ａから離間する斜め下方）に移動するように導かれ易くなる。その結果、開口部１１ａの下端ＬＥが水平に配置される場合（開口部１１ａの下端ＬＥが傾斜していない場合）と比較して、開口部１１ａから排出される水に対して、開口部１１ａを閉塞するように作用する力よりも開口部１１ａから排出されるように作用する力を容易に大きくすることができる。
【００５８】
また、第１実施形態では、上記のように、ウエット流路１１の底部１１ｃは、所定の方向に沿って延びるように配置され、開口部１１ａは、ウエット流路１１の底部１１ｃにおいて、所定の方向における一方側の端部に形成されており、ウエット流路１１の底部１１ｃの外表面ＥＳは、開口部１１ａ側の部分を、開口部１１ａとは反対側の部分よりも高くなるように傾斜するように構成する。これにより、ウエット流路１１の開口部１１ａに到達した水は、開口部１１ａの縁部からウエット流路１１の底部１１ｃの外表面ＥＳ側に回り込むとともに、傾斜した外表面ＥＳに沿って斜め下方に移動するように導かれ易くなる。その結果、開口部１１ａから排出される水に対して、開口部１１ａを閉塞するように作用する力よりも斜め下方に作用する力（開口部１１ａから排出されるように作用する力）を容易に大きくすることができる。
【００５９】
［第２実施形態］
図８および図９を参照して、第２実施形態について説明する。この第２実施形態では、開口部１１ａの下端ＬＥよりも下側に吸水性を有する部材を配置させるように構成した例について説明する。なお、図中において、上記第１実施形態と同様の構成の部分には、同一の符号を付している。
【００６０】
本発明の第２実施形態による間接気化式空調機２００は、図８に示すように、間接気化冷却エレメント２１０を備えている。間接気化冷却エレメント２１０は、不織布１５を備えた第１実施形態の間接気化冷却エレメント１０に代えて、不織布２１５を備えている。なお、間接気化式空調機２００では、Ｘ方向に沿って傾斜させるように構成した第１実施形態の間接気化冷却エレメント１０とは異なり、間接気化冷却エレメント２１０は、Ｘ方向に沿って水平に配置されている。
【００６１】
ここで、第２実施形態では、間接気化冷却エレメント２１０は、開口部１１ａの下端ＬＥよりも下側に吸水性を有する部材を配置させることによって、ウエット流路１１において気化されずに開口部１１ａからウエット流路１１の外部に排出される水に対して、開口部１１ａを閉塞するように作用する力よりも開口部１１ａから排出されるように作用する力が大きくなるように構成されている。詳細には、間接気化冷却エレメント２１０では、不織布２１５は、ウエット流路１１の底部１１ｃの少なくとも開口部１１ａが形成された部分において、開口部１１ａの下端ＬＥよりも下まで延びるように構成されている。
【００６２】
具体的には、不織布２１５の下端２１５ａ（Ｚ２側の端部）が、水平方向（Ｙ方向およびＸ方向）から見て、ウエット流路１１の底部１１ｃの外表面ＥＳよりも下側（Ｚ２側）にはみ出すように構成されている。言い換えると、間接気化冷却エレメント２１０では、不織布２１５の下端２１５ａ（Ｚ２側の端部）は、ウエット流路１１の底部１１ｃの外表面ＥＳよりも下側（Ｚ２側）に位置するように構成されている。
【００６３】
上記の構成により、図９に示すように、開口部１１ａの下端ＬＥのＹ方向における両側かつ下側（Ｚ２側）には、吸水性を有する不織布２１５が配置される。これにより、開口部１１ａの下端ＬＥに到達した水に対して、Ｙ方向かつ下側（Ｚ２側）に配置された不織布２１５により、斜め下方向に引き寄せる力を作用させることが可能である。
【００６４】
また、図８に示すように、不織布２１５は、Ｘ方向の全体で、ウエット流路１１の底部１１ｃの外表面ＥＳよりも下側（Ｚ２側）にはみ出すように構成されているので、ウエット流路１１の全体の底部１１ｃのＹ方向における両側かつ下側（Ｚ２側）にも、不織布２１５が配置される。これにより、不織布２１５の一部のみがウエット流路１１の底部１１ｃの外表面ＥＳよりも下側（Ｚ２側）にはみ出している場合と比較して、ウエット流路１１の底部１１ｃに溜まった水を引き寄せる力（毛細管現象による吸水力）を大きくすることができる。
【００６５】
なお、第２実施形態による間接気化式空調機２００のその他の構成は、上記第１実施形態と同様である。
【００６６】
（第２実施形態の効果）
第２実施形態では、上記のように、間接気化式空調機２００を、上記第１実施形態による間接気化式空調機１００と同様に、開口部１１ａからウエット流路１１の外部に排出される水に対して、開口部１１ａを閉塞するように作用する力よりも開口部１１ａから排出されるように作用する力が大きくなる構造を有するように構成する。これにより、上記第１実施形態による間接気化式空調機１００と同様に、開口部１１ａが閉塞されるのを抑制することができるので、ウエット流路１１において水を気化させるための空気Ｆ１の流れが妨げられることに起因して冷却効率が低下するのを抑制することができる。
【００６７】
また、第２実施形態では、上記のように、間接気化式空調機２００を、開口部１１ａの少なくとも下端ＬＥよりも下側に吸水性を有する部材を配置させることによって、ウエット流路１１において気化されずに開口部１１ａからウエット流路１１の外部に排出される水に対して、開口部１１ａを閉塞するように作用する力よりも開口部１１ａから排出されるように作用する力が大きくなるように構成する。これにより、開口部１１ａの下端ＬＥよりも下側に吸水性を有する部材を配置させることにより、開口部１１ａから排出される水が開口部１１ａの下端ＬＥに達した際に、開口部１１ａから排出される水に対して、吸水性を有する部材により水を引き寄せる力を作用させることができる。その結果、吸水性を有する部材が設けられない場合と比較して、開口部１１ａから排出される水に対して、開口部１１ａを閉塞するように作用する力よりも開口部１１ａから排出されるように作用する力を容易に大きくすることができる。
【００６８】
また、第２実施形態では、上記のように、間接気化式空調機２００は、ウエット流路１１においてドライ流路１２側の側面に沿うように設けられた平板形状の不織布２１５を備え、不織布２１５を、ウエット流路１１の底部１１ｃの少なくとも開口部１１ａが形成された部分において、開口部１１ａの下端ＬＥよりも下まで延びるように構成する。これにより、不織布２１５がドライ流路１２側の側面に沿うように開口部１１ａの下端ＬＥよりも下まで延びるように設けられているので、不織布２１５の開口部１１ａの下端ＬＥよりも下まで延びた部分により、開口部１１ａの下端ＬＥに達した水に対して、下方向に引き寄せる力を容易に作用させることできる。その結果、開口部１１ａから排出される水に対して、開口部１１ａを閉塞するように作用する力よりも下方向に作用する力（開口部１１ａから排出されるように作用する力）を容易に大きくすることができる。また、ウエット流路１１における水の気化効率を向上させるためにドライ流路１２側の側面に沿うように設けられることが一般的である平板形状の不織布２１５を、開口部１１ａの下端ＬＥよりも下まで延びるように上下方向の長さを調整だけで、開口部１１ａの下端ＬＥよりも下側に吸水性の部材を容易に設けることができる。
【００６９】
なお、第２実施形態のその他の効果は、上記第１実施形態と同様である。
【００７０】
［第３実施形態］
図１０および図１１を参照して、第３実施形態について説明する。この第３実施形態では、上記第２実施形態とは異なり、不織布１５とは別個に吸水部材３０が設けられている例について説明する。なお、図中において、上記第１および第２実施形態と同様の構成の部分には、同一の符号を付している。
【００７１】
本発明の第３実施形態による間接気化式空調機３００は、図１０に示すように、吸水部材３０を備える。吸水部材３０は、たとえば、マイクロ繊維や多孔部材である。吸水部材３０は、適度な吸水性を有する（毛細管現象による吸水力を有する）とともに、吸水した水の一部を保持するように構成されている。
【００７２】
ここで、第３実施形態では、間接気化式空調機３００は、第２実施形態の間接気化式空調機２００と同様に、開口部１１ａの下端ＬＥよりも下側に吸水部材３０を配置させることによって、ウエット流路１１において気化されずに開口部１１ａからウエット流路１１の外部に排出される水に対して、開口部１１ａを閉塞するように作用する力よりも開口部１１ａから排出されるように作用する力が大きくなるように構成されている。詳細には、吸水部材３０は、ウエット流路１１の底部１１ｃの外表面ＥＳにおいて、開口部１１ａの一部を覆うように、開口部１１ａの下端ＬＥの下側に設けられる。
【００７３】
具体的には、図１０に示すように、吸水部材３０は、Ｙ方向から見て、ウエット流路１１の底部１１ｃの外表面ＥＳにおいて、開口部１１ａのＸ２側（ウエット流路１１の底部１１ｃに溜まった水が流れてくる側）の一部を覆うように設けられている。また、図１１に示すように、吸水部材３０は、Ｙ方向に延びるように、かつ、開口部１１ａの下端ＬＥと接触するように、開口部１１ａの下端ＬＥの下側に設けられている。
【００７４】
上記の構成により、図１０に示すように、開口部１１ａの下端ＬＥの下側（Ｚ２側）のウエット流路１１の底部１１ｃに溜まった水が流れてくる部分には、吸水性を有する吸水部材３０が配置される。これにより、開口部１１ａの下端ＬＥに到達した水に対して、下側（Ｚ２側）に配置された吸水部材３０により、下方向に引き寄せる力を作用させることが可能である。
【００７５】
また、間接気化式空調機３００では、吸水部材３０は、開口部１１ａの一部を覆うように構成されている。また、吸水部材３０は、Ｚ１方向から見て、開口部１１ａから露出しない部分が、開口部１１ａから露出する部分よりも大きくなるように構成されている。これにより、吸水部材３０により吸水された水は、下方向のみならず、吸水部材３０の（毛細管現象による）吸水力により、開口部１１ａとは反対側のＸ２側、および、斜め下方向（Ｚ２側かつＸ２側）に引き寄せられる。
【００７６】
なお、第３実施形態による間接気化式空調機３００のその他の構成は、上記第１および第２実施形態と同様である。
【００７７】
（第３実施形態の効果）
第３実施形態では、上記のように、間接気化式空調機３００を、上記第１および第２実施形態による間接気化式空調機１００および２００と同様に、開口部１１ａからウエット流路１１の外部に排出される水に対して、開口部１１ａを閉塞するように作用する力よりも開口部１１ａから排出されるように作用する力が大きくなる構造を有するように構成する。これにより、上記第１および第２実施形態による間接気化式空調機１００および２００と同様に、開口部１１ａが閉塞されるのを抑制することができるので、ウエット流路１１において水を気化させるための空気Ｆ１の流れが妨げられることに起因して冷却効率が低下するのを抑制することができる。
【００７８】
また、第３実施形態では、上記のように、間接気化式空調機２００を、上記第２実施形態の間接気化式空調機２００と同様に、開口部１１ａの少なくとも下端ＬＥよりも下側に吸水性を有する部材を配置させることによって、ウエット流路１１において気化されずに開口部１１ａからウエット流路１１の外部に排出される水に対して、開口部１１ａから排出される水に対して、開口部１１ａを閉塞するように作用する力よりも開口部１１ａから排出されるように作用する力が大きくなるように構成する。これにより、上記第２実施形態の間接気化式空調機２００と同様に、吸水性を有する部材が設けられない場合と比較して、開口部１１ａから排出される水に対して、開口部１１ａを閉塞するように作用する力よりも開口部１１ａから排出されるように作用する力を容易に大きくすることができる。
【００７９】
また、第３実施形態では、上記のように、間接気化式空調機３００は、ウエット流路１１の底部１１ｃの外表面ＥＳにおいて、開口部１１ａの一部を覆うように、開口部１１ａの下端ＬＥの下側に設けられる吸水部材３０を備える。これにより、開口部１１ａの下端ＬＥの下側に設けられた吸水部材３０により、開口部１１ａの下端ＬＥに達した水に対して、下方向に引き寄せる力を容易に作用させることができる。その結果、開口部１１ａから排出される水に対して、開口部１１ａを閉塞するように作用する力よりも下方向に作用する力（開口部１１ａから排出されるように作用する力）を容易に大きくすることができる。また、吸水部材３０が開口部１１ａの下端ＬＥの一部を覆うように設けられるので、吸水部材３０が開口部１１ａの下端ＬＥの全てを覆う場合と異なり、ウエット流路１１において空気Ｆ１の流れが妨げられるのを抑制することができる。また、吸水部材３０が開口部１１ａの下端ＬＥの一部を覆うように設けられることにより、上方（Ｚ１側）から見て吸水部材３０が開口部１１ａから露出しているので、開口部１１ａから排出される水を露出した吸水部材３０の部分から容易に吸水することができる。
【００８０】
なお、第３実施形態のその他の効果は、上記第１および第２実施形態と同様である。
【００８１】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【００８２】
たとえば、上記第１実施形態では、間接気化冷却エレメント１０を、Ｘ方向に沿って、Ｘ１側がＸ２側よりも高くなるように水平方向に対して所定の角度θで傾斜するように配置した例を示したが、本発明はこれに限られない。たとえば、ウエット流路１１のみを水平方向に対して所定の角度θで傾斜するように構成してもよいし、ウエット流路１１の底部１１ｃのみを水平方向に対して所定の角度θで傾斜するように構成してもよい。また、ウエット流路１１の底部１１ｃの外表面ＥＳの一部のみを水平方向に対して所定の角度θで傾斜するように構成してもよいし、ウエット流路１１の底部１１ｃの外表面ＥＳにおいて開口部１１ａの部分（開口部１１ａの下端ＬＥ）のみを水平方向に対して所定の角度θで傾斜するように構成してもよい。
【００８３】
また、上記第２実施形態では、不織布２１５を、Ｘ方向の全体で、ウエット流路１１の底部１１ｃの外表面ＥＳよりも下側（Ｚ２側）にはみ出すように構成した例を示したが、本発明はこれに限られない。たとえば、開口部１１ａの下端ＬＥにおいてウエット流路１１の底部１１ｃに溜まった水が流れてくる部分の近傍にのみ不織布２１５の一部を下方にはみ出すように構成してもよい。
【００８４】
また、上記第３実施形態では、吸水部材３０の開口部１１ａから露出しない部分が、開口部１１ａから露出する部分よりも大きくなるように構成されている例を示したが、本発明はこれに限られない。たとえば、吸水部材３０の開口部１１ａから露出しない部分が、開口部１１ａから露出する部分よりも小さくなるように構成してもよい。
【００８５】
また、上記第１〜第３実施形態では、不織布１５（２１５）のＺ１側の端部およびＺ２側の端部を、ウエット流路１１の外部に露出するように構成した例を示したが、本発明はこれに限られない。たとえば、不織布１５（２１５）のＺ１側の端部およびＺ２側の端部を、ウエット流路１１の外部に露出しないように構成してもよい。この場合、たとえば、不織布１５（２１５）の上側にスペーサを設け、スペーサに不織布１５（２１５）に水を供給するための開口を形成するようにしてもよい。
【００８６】
また、上記第１〜第３実施形態では、隔壁１４とスペーサ１３とに囲まれる空間によってドライ流路１２を構成する例を示したが、本発明はこれに限られない。たとえば、図１２の変形例による間接気化冷却エレメント４１０のように一対の隔壁１４の間に、波型の板状部材を配置することによってドライ流路４１２を形成してもよい。これにより、一対の隔壁１４の間に、複数のドライ流路４１２が形成される。間接気化冷却エレメント４１０では、各々のドライ流路４１２を流れる空気Ｆ２の量が略均一化されるので、ドライ流路全体の空気の流れに偏りが生じるのが抑制される。
【００８７】
また、上記第１〜第３実施形態では、ウエット流路１１の下側（Ｚ２側）に形成された開口部１１ａを空気Ｆ１ａの入口とし、ウエット流路１１の上側（Ｚ１側）に形成された開口部１１ｂを空気Ｆ１ｂの出口とした例を示したが、本発明はこれに限られない。たとえば、ウエット流路１１の上側（Ｚ１側）に形成された開口部１１ｂを空気Ｆ１ａの入口とし、ウエット流路１１の下側（Ｚ２側）に形成された開口部１１ａを空気Ｆ１ｂの出口とするように構成してもよい。
【００８８】
また、上記第１〜第３実施形態では、開口部１１ａおよび開口部１１ｂを、それぞれ、ウエット流路１１の下側（Ｚ２側）および上側（Ｚ１側）に形成した例を示したが、本発明はこれに限られない。たとえば、開口部１１ａおよび開口部１１ｂの両方ともがウエット流路１１の下側（Ｚ２側）に形成されるように構成してもよい。
【００８９】
また、上記第１〜第３実施形態では、風路２４を、ウエット流路１１に空気Ｆ１ａを供給するための風路、および、ドライ流路１２において冷却された空気Ｆ２ｂを排気するための風路となるように構成した例を示したが、本発明はこれに限られない。たとえば、ウエット流路１１に空気Ｆ１ａを供給するための風路と、ドライ流路１２において冷却された空気Ｆ２ｂを排気するための風路とを個別に設けるように構成してもよい。
【００９０】
また、上記第１〜第３実施形態の間接気化式空調機１００（２００、３００）における、間接気化冷却エレメント１０と、筐体２０と、給気口２１と、風路２２と、送風ファン２３と、風路２４と、ドライ排気口２５と、ドレン皿２６と、風路２７と、散水管２８と、ウエット排気口２９との位置関係は、ウエット流路１１の開口部１１ａおよび開口部１１ｂの位置、ドライ流路１２の開口部１２ａおよび開口部１２ｂの位置等に応じて適宜変更することができる。
【符号の説明】
【００９１】
１０、２１０  間接気化冷却エレメント（間接気化式空気冷却ユニット）
１１  ウエット流路
１１ａ  開口部
１１ｃ  （ウエット流路の）底部
１２  ドライ流路
１５、２１５  不織布（保水部材、吸水性を有する部材）
２０  筐体
２４  （ウエット流路に第１空気を供給するための）風路、（ドライ流路において冷却された前記第２空気を排気するための）風路
３０  吸水部材（吸水性を有する部材）
１００、２００、３００  間接気化式空調機
ＥＳ  （ウエット流路の底部）の外表面
Ｆ１  第１空気
Ｆ２  第２空気
ＬＥ  （開口部の）下端
【図１】
2019203608.tif 000003
【図２】
2019203608.tif 000004
【図３】
2019203608.tif 000005
【図４】
2019203608.tif 000006
【図５】
2019203608.tif 000007
【図６】
2019203608.tif 000008
【図７】
2019203608.tif 000009
【図８】
2019203608.tif 000010
【図９】
2019203608.tif 000011
【図１０】
2019203608.tif 000012
【図１１】
2019203608.tif 000013
【図１２】
2019203608.tif 000014